(57)【特許請求の範囲】
【請求項１】
一対の髪挟持部材を含み、それら一対の髪挟持部材が容易に分離可能な結合手段によって結合され、その結合された両髪挟持部材が協働して髪を挟持する髪止め具であって、各髪挟持部材はそれぞれ基部及びその基部から延びる髪挟持部を有し、それぞれの基部には、互いの基部が面接触により結合されるための２以上の平らな面が凸の二面角をなして並ぶように形成され、容易に分離可能な面接触の結合は磁石の吸引力による結合であり、面接触させる面を変えることにより、両髪挟持部材のなす挟持角度を段階的に変更可能としたことを特徴とする髪止め具。
【請求項２】
一対の髪挟持部材を含み、それら一対の髪挟持部材が容易に分離可能な結合手段によって結合され、その結合された両髪挟持部材が協働して髪を挟持する髪止め具であって、各髪挟持部材はそれぞれ基部及びその基部から延びる髪挟持部を有し、それぞれの基部には、互いの基部が面接触により結合されるための２以上の平らな面が凸の二面角をなして並ぶように形成され、容易に分離可能な面接触の結合は面ファスナーによる結合であり、面接触させる面を変えることにより、両髪挟持部材のなす挟持角度を段階的に変更可能としたことを特徴とする髪止め具。
【請求項３】
少なくとも一方の髪挟持部は櫛状に形成されている請求項１又は請求項２記載の髪止め具。
【発明の詳細な説明】
【技術分野】
【０００１】
本発明は、主に女性が在宅時、外出時あるいは入浴時などに使用する髪止め具に関する。
【背景技術】
【０００２】
一対の髪挟持部材が結合軸を中心に回動可能に結合された髪止め具が従来から多く存在するが、これらの髪止め具で髪を束ね止めするときなどに髪の毛が髪挟持部材の結合部分に挟まってしまうことがある。その場合、髪の毛を引っ張れば容易に切れてしまうので、挟まった髪の毛を完全に取り除く作業に手間がかかっていた。また、結合部には髪のほかゴミが溜まりやすいという欠点もあった。
【０００３】
さらに、髪止め具は、入浴時に邪魔な髪を束ね上げておくために使用されることが多い頭髪用品である。従来の髪止め具は、髪を挟持するための髪挟持部を有し、結合軸にコイルばねを装着して、このコイルばねの弾性力により双方の髪挟持部がそれらの閉じる方向に付勢される構成である。そして、結合軸は両髪挟持部材の結合部に組み込まれているから、両髪挟持部材は容易に分離することができない構造となっている。通常、両髪挟持部材を結合する結合軸とコイルばねは金属製であり、入浴時に使用すると使用後に錆びてしまう場合があった。
【先行技術文献】
【特許文献】
【０００４】
【特許文献１】特開２００７−１４６４４号公報
【発明の概要】
【発明が解決しようとする課題】
【０００５】
本発明は、両髪挟持部材の結合部に残留している水分や、結合部に挟まっている髪の毛を容易に取り除くことができる髪止め具を提供しようとするものである。
【課題を解決するための手段】
【０００６】
本発明の請求項１記載の発明は、一対の髪挟持部材を含み、それら一対の髪挟持部材が容易に分離可能な結合手段によって結合され、その結合された両髪挟持部材が協働して髪を挟持する髪止め具であって、各髪挟持部材はそれぞれ基部及びその基部から延びる髪挟持部を有し、それぞれの基部には、互いの基部が面接触により結合されるための２以上の平らな面が凸の二面角をなして並ぶように形成され、容易に分離可能な面接触の結合は磁石の吸引力による結合であり、面接触させる面を変えることにより、両髪挟持部材のなす挟持角度を段階的に変更可能とした構成である。
【０００７】
請求項２記載の発明は、一対の髪挟持部材を含み、それら一対の髪挟持部材が容易に分離可能な結合手段によって結合され、その結合された両髪挟持部材が協働して髪を挟持する髪止め具であって、各髪挟持部材はそれぞれ基部及びその基部から延びる髪挟持部を有し、それぞれの基部には、互いの基部が面接触により結合されるための２以上の平らな面が凸の二面角をなして並ぶように形成され、容易に分離可能な面接触の結合は面ファスナーによる結合であり、面接触させる面を変えることにより、両髪挟持部材のなす挟持角度を段階的に変更可能とした構成である。
【０００８】
請求項３記載の発明は、少なくとも一方の髪挟持部が櫛状に形成されている構成である。
【発明の効果】
【０００９】
請求項１記載の発明は、各髪挟持部材がそれぞれ基部及びその基部から延びる髪挟持部を有し、それぞれの基部には、互いの基部が面接触により結合されるための２以上の平らな面が凸の二面角をなして並ぶように形成され、容易に分離可能な面接触の結合は磁石の吸引力による結合であり、面接触させる面を変えることにより、両髪挟持部材のなす挟持角度を段階的に変更可能である。また、請求項１記載の発明において、容易に分離可能な面接触の結合が磁石の吸引力による結合であるところ、請求項２記載の発明は、容易に分離可能な面接触の結合が面ファスナーによる結合である。従来の容易に分離することができない髪止め具は、両髪挟持部材が結合する部分に隙間が生じ、その隙間に浸み込んだ水分や、その隙間に挟まった髪の毛を取り除くことが容易でなかった。本発明は、両髪挟持部材を分離することにより、隙間に浸み込んだ水を拭き取るなどして容易に取り除くことができ、隙間に挟まっている髪の毛なども隙間がなくなるので容易に取り除くことができる。
【００１０】
また、髪止め具が、両髪挟持部材を結合して髪を挟持したときの両髪挟持部材のなす挟持角度を段階的に変更することができる手段を有するものである。したがって、まとめようとする毛束の太さに応じて挟持角度を変更することができる。
【００１１】
また、両髪挟持部材の結合手段が、少なくとも一方の髪挟持部材に設けられた磁石と、他方の髪挟持部材に設けられた磁石又は強磁性体部材とによる磁石の吸引力による結合であり、磁石の吸引力により結合された両髪挟持部材が協働して髪を挟持するものである。髪挟持部材に磁石或いは強磁性体部材を取り付けるだけでよいので、結合構造を簡易なものとすることができる。
【００１２】
また、各髪挟持部材がそれぞれ基部及びその基部から延びる髪挟持部を有し、その髪挟持部が髪を挟持する作用をなすものであり、両髪挟持部材を結合する結合手段は基部に設けられている。したがって、毛を束ねて両髪挟持部で挟持するときに、両手で各髪挟持部材を持ち、両髪挟持部材の間の距離を離した状態から、両髪挟持部材の間に存在する髪を手を使わずに髪挟持部で両側から一気に掻き集めるように両髪挟持部材の間隔を詰め、最後に両髪挟持部材の基部同士を結合して効率的に髪をまとめることができる。特に、各髪挟持部材の基部を両手で持った場合には操作がしやすいのである。さらには、基部を両手で持った場合には、両髪挟持部材を結合するときに、手で持った基部同士を合わせれば結合できるので、簡単な操作で結合させることができる。従来の、コイルばね等の弾性力を利用したクリップ式の髪止め具の場合、両髪挟持部材が分離できないので、予め手で髪を集めてからクリップで止めていたのであるが、それよりも簡単に髪を束ね止めることができる。
【００１３】
また、各髪挟持部材が、互いの基部を面接触により結合するための少なくとも１つの平らな面を基部に有しているものである。したがって、基部同士の結合が面接触によるものであるから、結合作業を容易に行える。また、分離するときは面接触を引き離すだけでよいので容易に分離することができる。
【００１４】
請求項３記載の発明は、少なくとも一方の髪挟持部が櫛状に形成されている。したがって、分離した一方の髪挟持部材を櫛として使用することができる。また、髪をまとめるときに、櫛状の髪挟持部を使用して櫛のように髪を梳きながら髪を集めて髪を止めることができる。さらに、櫛歯の先端を滑らかな曲面に形成すれば、頭皮マッサージ具として使用することもできる。
【図面の簡単な説明】
【００１５】
【図１】図１は本発明の側面図である。
【図２】図２は本発明の正面図である。
【図３】図３は本発明の平面図である。
【図４】図４は髪挟持部の挟持角度を変更した状態の側面図である。
【図５】図５は一方の髪挟持部材の斜視図である。
【図６】図６は一方の髪挟持部材の正面図である。
【図７】図７は図６のＡ−Ａ端面図である。
【図８】図８は図６のＢ−Ｂ端面図である。
【図９】図９は本発明の使用状態図である。
【図１０】図１０は本発明の使用状態図である。
【発明を実施するための形態】
【００１６】
本発明の実施例について説明する。髪止め具１は、一対の髪挟持部材２，２の組み合わせから成る。２つの髪挟持部材２，２は同一形状に形成されている。同一形状でなくてもよいことは勿論である。また、髪挟持部材２，２は、例えばポリエチレン樹脂等の樹脂により成形されており、基部３とその基部３から一体に延びる櫛状の髪挟持部４を有している。髪挟持部４が櫛状に形成されているので、髪をまとめるときに、櫛状の髪挟持部４を櫛のように使用して髪を梳きながら髪を集めて髪を止めることができる。また、単独の髪挟持部材２を櫛として使用することもできる。図１に示すように、髪挟持部４を構成する各櫛歯５は外側に張り出すように弧状に形成されている。これにより、毛束を包むように挟持することができる。また、図５に示すように、各櫛歯５の先端部６は内側に突出して先端面７の面積を広くし、その先端面７が滑らかな凸面に形成されている。したがって、先端面７が頭皮にソフトに当たるので、この面で頭皮をマッサージすることができる。また、図３に示すように、各櫛歯５の先端面７を結ぶ線は凹状の曲線をなしている。したがって、頭皮をマッサージする場合など各櫛歯５の先端面７を頭皮に当てたときに、頭皮のカーブにフィットさせることができる。髪挟持部材２の長さは約９０ｍｍであり、図１での左右方向の最大幅は約５２ｍｍであり最大高さは約４８ｍｍであるが、この数値に限定されないことは勿論である。
【００１７】
図５から図８に示すように、基部３は、その内面から突出する結合部８を有している。結合部８は、凸の二面角を形成する平らな第一の面９と平らな第二の面１０を有する。二面角の角度は約１６７度である。結合部８の内部であって第一の面９及び第二の面１０に寄った部分に磁石１２,１３が取り付けられている。磁石１２，１３は小さな円板状をなすネオジム磁石であって、それぞれの結合部８の第一の面９と第二の面１０に寄った内部に間隔をあけてそれぞれ２個ずつの合計４個取り付けられている。磁石は３個ずつの６個取り付けてもよい。それ以上でもよい。結合部８に磁石１２，１３を設ける方法は、まず射出成形により独立した結合部８を形成し、結合部８の内部に磁石１２，１３を嵌め込んでから結合部８の内部を樹脂１４で充填する。次いで、その結合部８を金型に固定し、その金型に樹脂を射出させて髪挟持部４や基部３を結合部８と一体的に結合するように成形することにより髪挟持部材２が製造される。結合部８は肉厚であるが、このような成形を行うことにより、肉のヒケ等を防止して、良好な外観形状を維持することができる。なお、磁石はネオジム磁石でなくてもよく、結合部８に１個の細長い板状の磁石を取り付けてもよい。磁石は一方の髪挟持部材２にのみ取り付け、他方の髪挟持部材２には磁石のかわりに強磁性体部材を取り付けてもよい。双方の髪挟持部材２に磁石を取り付けるときは、双方の磁石が引き合うようにＳ極とＮ極とが対向するように取り付ける。図１に示すように、両髪挟持部材２，２を結合するときは、それらの第一の面９，９同士を磁石の吸引力で吸着させることにより結合する。また、図４に示すように、第二の面１０，１０同士を結合させることによって、髪挟持部材２，２の挟持角度を大きくすることができる。これにより、多くの髪を束ね止めることができる。また、第一の面９，９及び第二の面１０，１０のいずれかで結合している両髪挟持部材２，２を分離させるときに、その結合は磁石の吸引力による面同士の吸着であるから、結合面に垂直な力で両髪挟持部材２，２を引き離そうとすると大きな力が必要である。このとき、指掛部１１，１１が互いに近づくように指掛部１１，１１を指で押すと、梃子の原理により容易に両髪挟持部材２，２を分離させることができるのである。両髪挟持部材２，２の第一の面９，９が結合しているときは、まず、図４で示すように、第一の面９と第二の面１０との境界１５を支点として髪挟持部材２，２が挟持角度を開くように回転し、第一の面９，９が互いに離れ第二の面１０，１０が結合する。さらに、指掛部１１，１１を指で押すと、第二の面１０，１０の吸着している下端１６を支点として髪挟持部材２，２が回転し、第二の面１０，１０が離れ両髪挟持部材２，２を容易に分離させることができる。第二の面１０，１０が吸着しているときは、髪挟持部材２，２の一度の回転で分離させることができる。
【００１８】
図５又は図７に示すように、基部３は外側に突出する指掛部１１を有している。髪挟持部材２の持ち方は、例えば、人差し指の第一関節よりも先の部分を指掛部１１の表面の長さ方向に沿って宛がい、親指を指掛部１１の反対側の面に宛がい、中指の第一関節の背側を基部３の表面に押し当てることにより、しっかりと髪挟持部材２を持つことができる。次に、図９及び図１０を参照して本発明の使用方法について説明する。頭の後ろで髪をまとめるには、図９に示すようにまずそれぞれの手で各髪挟持部材２，２を持ち、左右両側の耳の付近から髪を後ろに掻き集めていき、次いで、一気に両髪挟持部材２，２の間隔を詰め、図１０に示すように両髪挟持部材２，２の基部同士３，３を結合して髪をまとめる。その際、結合手段として磁石１２，１３を利用しているため、頭の後ろのような直接見えない場所で髪を止める場合であっても、結合部８，８がある程度の距離まで接近すれば、磁石の吸引力によって双方の結合部８，８が引かれ合い、結合作業を簡単に行うことができる。両髪挟持部材２，２の基部同士３，３が結合されると、図２及び図３にしめすように、一方の髪挟持部材２の櫛歯５が他方の髪挟持部材２の櫛歯５に入り込む。また、片方の髪挟持部材２を手に持って櫛状の髪挟持部４で髪を梳かしたり、櫛歯５の先端部６で頭皮マッサージを行なったりすることもできるが、そのときは、親指の腹を結合部８の第一の面９と第二の面１０とに宛がい、人差し指の第一関節が指掛部１１の中央付近に位置するように人差し指を少しずらすと、髪挟持部材２をよりしっかりと持つことができるので作業がしやすい。
【００１９】
なお、本発明は前述した構成に基づいて種々の態様をとることが可能である。例えば、髪挟持部材２，２の面接触による結合方法として、磁石の吸引力に換えて面ファスナーの結合であってもよい。面ファスナーの結合は多数のフック状繊維とループ状繊維との結合によるものであって面接触と同様の作用をなすものであり、本発明においては面接触として扱う。櫛状の髪挟持部４の各櫛歯５は可撓性を有するものでもよく、そうでなくてもよい。基部３に設けられた凸の二面角を形成する２つの平らな面９、１０にさらに１つ以上の平らな面を増やして、３つ以上の平らな面が二面角を持って並ぶ構成であってもよい。この場合、髪挟持部４，４の挟持角度を３つ以上の角度の中から選択することができる。さらに、挟持角度を変更した際に、その挟持角度を確実に維持することができるロック手段を設けてもよい。
【産業上の利用可能性】
【００２０】
両髪挟持部材が容易に分離できることから、両髪挟持部材の結合部に残留している水分や、結合部に挟まっている髪の毛を容易に取り除くことができるので、手入れが簡単にできる。
【符号の説明】
【００２１】
１  髪止め具、    ２  髪挟持部材、    ３  基部、    ４  髪挟持部、    ５  櫛歯、    ６  櫛歯の先端部、    ７  櫛歯の先端面、    ８  結合部、    ９  第一の面、    １０  第二の面、    １１  指掛部、    １２  磁石、    １３  
磁石、    １４  樹脂、    １５  境界、    １６  吸着している下端
【図１】
0005930761.tif 000002
【図２】
0005930761.tif 000003
【図３】
0005930761.tif 000004
【図４】
0005930761.tif 000005
【図５】
0005930761.tif 000006
【図６】
0005930761.tif 000007
【図７】
0005930761.tif 000008
【図８】
0005930761.tif 000009
【図９】
0005930761.tif 000010
【図１０】
0005930761.tif 000011